(57)【要約】【課題】レーザ光の波長に関係なくモニター光検出器に一定の透過光が得られる光路補正装置とこれを用いた光ピックアップを提供する【解決手段】本実施例において示した光路補正装置１４は、各機能素子を積層一体化しており、第一の複屈折板１５と、第一の波長板５と、第二の複屈折板２と、第二の波長板１６とにより構成する。光路補正装置１４は、複合光学素子１７の前方に配置し、偏光方向が互いに平行であり光路が互いに平行である二つの異なる波長の直線偏光を第一の複屈折板１５より入射し、光路補正を行うと共に透過するレーザ光を円偏光に変換して第二の波長板１６より出射し、一方、円偏光されたレーザ光を第二の波長板１６より入射し、所定の位置に光路変更して第一の複屈折板１５より出射する【選択図】    図１
2006012202.tif 000002
【特許請求の範囲】
【請求項１】
第一の複屈折板と、第一の波長板と、第二の複屈折板と、第二の波長板とを順に配置した構造を有し、偏光方向が互いに平行であり光路が互いに平行である二つの異なる波長の直線偏光レーザ光を第一の複屈折板より入射すると、同じ光路上を進む二つの円偏光レーザ光として第二の波長板より出射し、一方、同じ光路上を進む二つの異なる波長の円偏光レーザ光を第二の波長板より入射すると、二つの異なる光路を進む直線変更レーザ光として第一の複屈折板より出射する光路補正装置であって、
前記第一の複屈折板は、異常光線が入射した時の屈折による光路変更距離をｄ１、複屈折板の常光線に対する屈折率をｎ0、複屈折板の異常光線に対する屈折率をｎｅ、複屈折板の主面法線と光学軸とのなす角度をθ、複屈折板の板厚をｔ１とした時、
ｔ１＝ｄ１・｜（ｎ0２・ｔａｎθ＋ｎｅ２）／（（ｎ0２−ｎｅ２）・ｔａｎθ）｜
を満足するものであり、
前記第一の波長板は、直線偏光レーザ光の一方に対しては２π・ｍの位相差を、他方の直線偏光レーザ光に対してはπ・（２ｎ−１）の位相差を発生するものであり（ｍ、ｎは整数）、
前記第二の複屈折板は、その光学軸に対して入射した二つの直線偏光レーザ光の何れか一方が常光線、他方が異常光線となるよう配置し、前記二つの直線偏光レーザ光の光路間隔をｄ２、複屈折板の常光線に対する屈折率をｎ0、複屈折板の異常光線に対する屈折率をｎｅ、複屈折板の主面法線と光学軸とのなす角度をθ、複屈折板の板厚をｔ２とした時、
ｔ２＝ｄ２・｜（ｎ0２・ｔａｎθ＋ｎｅ２）／（（ｎ0２−ｎｅ２）・ｔａｎθ）｜
を満足するものであり、
前記第二の波長板は、入射する何れの直線偏光レーザ光、或いは円偏光レーザ光に対してもπ／２・（２ｐ−１）の位相差を発生する（ｐは整数）ものであることを特徴とする光路補正装置。
【請求項２】
第一の複屈折板と、第一の波長板と、第二の複屈折板と、第二の波長板と、グレーティングとを順に配置した構造を有し、偏光方向が互いに平行であり光路が互いに平行である二つの異なる波長の直線偏光レーザ光を第一の複屈折板より入射すると、同じ光路を進む二つの円偏光レーザ光とすると共に、３ビーム化してグレーティングより出射し、一方、同じ光路を進む二つの異なる波長の円偏光レーザ光をグレーティングより入射すると、二つの異なる光路を進む直線偏光レーザ光として第一の複屈折板より出射する光路補正装置であって、
前記第一の複屈折板は、異常光線が入射した時の屈折による光路変更距離をｄ１、複屈折板の常光線に対する屈折率をｎ0、複屈折板の異常光線に対する屈折率をｎｅ、複屈折板の主面法線と光学軸とのなす角度をθ、複屈折板の板厚をｔ１とした時、
ｔ１＝ｄ１・｜（ｎ0２・ｔａｎθ＋ｎｅ２）／（（ｎ0２−ｎｅ２）・ｔａｎθ）｜
を満足するものであり、
前記第一の波長板は、直線偏光レーザ光の一方に対しては２π・ｍの位相差を、他方の直線偏光レーザ光に対してはπ・（２ｎ−１）の位相差を発生するものであり（ｍ、ｎは整数）、
前記第二の複屈折板は、その光学軸に対して入射した二つの直線偏光レーザ光の何れか一方が常光線、他方が異常光線となるよう配置すると共に、前記第一の複屈折板と互いの主断面が直交するよう配置し、前記二つの直線偏光レーザ光の光路間隔をｄ２、複屈折板の常光線に対する屈折率をｎ0、複屈折板の異常光線に対する屈折率をｎｅ、複屈折板の主面法線と光学軸とのなす角度をθ、複屈折板の板厚をｔ２とした時、
ｔ２＝ｄ２・｜（ｎ0２・ｔａｎθ＋ｎｅ２）／（（ｎ0２−ｎｅ２）・ｔａｎθ）｜
を満足するものであり、
前記第二の波長板は、入射する何れの直線偏光レーザ光、或いは円偏光レーザ光に対してもπ／２・（２ｐ−１）の位相差を発生する（ｐは整数）ものであり、
前記グレーティングは、入射した異なる波長の円偏光レーザ光の一方、若しくは両方ともに、0次光と±1次光の３ビームに回折することを特徴とする光路補正装置。
【請求項３】
前記第一の複屈折板と前記第一の波長板と前記第二の複屈折板と前記第二の波長板とを貼り合わせて一体化した構造を有することを特徴とする請求項１記載の光路補正装置。
【請求項４】
前記第一の複屈折板と前記第一の波長板と前記第二の複屈折板と前記第二の波長板と前記グレーティングとを貼り合わせて一体化した構造を有することを特徴とする請求項２記載の光路補正装置。
【請求項５】
前記第一の波長板及び第二の波長板は、複屈折性を有する結晶であることを特徴とする請求項１乃至４記載の光路補正装置。
【請求項６】
前記第一の複屈折板及び第二の複屈折板は、リチウムナイオベート若しくはルチルであることを特徴とする請求項１乃至６記載の光路補正装置。
【請求項７】
偏光方向が互いに平行である二つの異なる波長の直線偏光レーザ光を出射する２波長レーザ部と１対のモニター光検出部とを備えた複合光学素子と、
前記２波長レーザ部から二つの直線偏光レーザ光を入射すると共に、モニター光検出部にモニター光を出射する請求項１乃至６の何れかに記載の光路補正装置と、
該光路補正装置を出射した光線を光記憶媒体に集光する対物レンズとを備えたことを特徴とする光ピックアップ。
【請求項８】
偏光方向が互いに平行である二つの異なる波長の直線偏光レーザ光を出射する２波長レーザ部と１対のモニター光検出部とを備えた複合光学素子と、
前記２波長レーザ部から二つの直線偏光レーザ光を入射すると共に、モニター光検出部にモニター光を出射する請求項１乃至６の何れかに記載の光路補正装置と、
該光路補正装置を出射した光線を光記憶媒体に集光する対物レンズとを備え
前記複合光学素子と前記光路補正装置とを一体化した構造とすることを特徴とする光ピックアップ。
【発明の詳細な説明】
【技術分野】
【０００１】
本発明は光路補正装置とこれを用いた光ピックアップに関し、特に２波長レーザ部が出射する偏光方向が互いに平行な二つの異なる波長の直線偏光の光路を補正した後、同一光路上を伝搬する前記出射光を円偏光とすると共に、光ディスクより反射するレーザ光を入射して光路補正した後にモニター光検出部に出射する光路補正装置とこれを用いた光ピックアップに関するものである。
【背景技術】
【０００２】
光ディスク装置や光磁気ディスク装置に用いられる光ピックアップは、ＣＤやＤＶＤといった種類の異なる光ディスクに対応するため、波長の異なる複数のレーザ光を使用する構造となっている。
そこで従来、二つのレーザ光を同一光路で伝搬させるため、二つのレーザダイオード（以降、ＬＤと称す）を光路が互いに直交するよう配置すると共に、その交点にダイクロイックプリズムを所定の光路方向で配置して、一方のレーザダイオードが出射するレーザ光はダイクロイックプリズムに入射して分離面を透過させ、直交配置された他方のレーザダイオードが出射するレーザ光は前記ダイクロイックプリズムに入射させて分離面で９０°反射させることにより、前記二つのレーザ光を同じ光路で伝搬させて、二つのレーザ光に対応した光ピックアップを構成していた。
ところが、このような従来の２波長合成方法では、二つのＬＤを用いること、及びこれらの光路を互いに直交するよう配置しなければならないため、光ピックアップの小型化が困難であった。
【０００３】
一方、近年モノリシック型集積型の２波長レーザが提案され実用化されつつある。この２波長レーザは、一つの半導体基板上に二つの異なる波長（例えば、６５０ｎｍ、７８０ｎｍ）のレーザ光源を形成したものであり、二つのレーザ光源は所定の距離（数十〜百数十μｍ）だけ離れて配置され、二つの異なる波長の平行光を出射している。そこで、このような２波長レーザを光ピックアップに用いるためには、二つのレーザ光を同一光路に伝搬させるために光路補正機能が必要となる。
【０００４】
このような光路補正機能の手段として、特開２００１−２８３４５７号公報に開示された手法がある。
図７は、特開２００１−２８３４５７号公報に開示された従来の光路補正装置の原理を説明するための図である。図７において、光路補正装置１は、複屈折板２により構成しており、該複屈折板２は、２波長レーザ３から出射する波長６５０ｎｍのレーザ光Ｌ１、波長７８０ｎｍのレーザ光Ｌ２を入射し、且つ、レーザ光Ｌ１の偏波面とレーザ光Ｌ２の偏光方向とは互いに直交しているものとする。複屈折性を有する結晶である複屈折板２は、光学軸Ａ０が主表面と４５°の角度をなすよう板状に切り出したものである。
このように構成することで、レーザ光Ｌ２は光学軸Ａ０に対して常光線となるので複屈折板２を直進して透過する。これに対し、レーザ光Ｌ１は光学軸Ａ０に対して異常光線となるので複屈折板２にて屈折して透過することになる。この時、複屈折板２の板厚ｔを適切に設定することにより、二つのレーザ光を同一光路上に出射することが可能となる。
【０００５】
一方、図７に示した従来の光路補正手法は、二つのレーザ光の偏光方向が互いに直交していることが必要であるが、モノリシック集積型の２波長レーザは、一つの半導体基板に二つの異なる波長のレーザ光源を形成するので、出射する二つのレーザ光線の直線偏光の偏光方向が同じとなるのが一般的である。２波長レーザは、製造プロセス上の制約から偏光方向を互いに直交させることは容易ではなく量産に不向きで高価になるため、モノリシック集積型の２波長レーザを上記の光路補正手法に適用することは現実的ではなかった。
【０００６】
そこで、この点を解決する光路補正手法として、本願発明者らは特願２００３−１５５６１７号において以下の手法を提起した。
図８は、特願２００３−１５５６１７号により提起した光路補正装置の原理を説明するための図である。光路補正装置４は、波長板５と複屈折板２とを備えており、２波長レーザ６の前方に配置する。
２波長レーザ６から出射される波長６５０ｎｍのレーザ光Ｌ１、及び波長７８０ｎｍのレーザ光Ｌ２は互いに平行な偏光方向を有する直線偏光であり、光路間隔ｄにて平行に伝搬する。
波長板５は、複屈折性を有する結晶もしくは高分子フィルムであり、２波長レーザ６から出射された一方のレーザ光Ｌ２の偏光方向を９０°回転させ、他方のレーザ光Ｌ１の偏光方向は回転しないままに透過させることにより、レーザ光Ｌ１とＬ２は互いに直交した直線偏光となるよう構成されている。
【０００７】
複屈折板２は、図７に示した複屈折板と同一のもので、複屈折性を有する結晶もしくは液晶からなり、その光学軸は一方のレーザ光Ｌ２の偏光方向と同一平面を有するよう構成されている。
この時、波長板５から入射するレーザ光Ｌ２は光学軸Ａ０に対して常光線となるのでそのまま直進して複屈折板２を透過し、レーザ光Ｌ２と偏光方向が直交するレーザ光Ｌ１は、複屈折板２の光学軸Ａ０に対して異常光線となるので屈折して透過することになる。この屈折したレーザ光Ｌ１が複屈折板２を出射する際にレーザ光Ｌ２と同じ光路を伝搬するよう複屈折板２の板厚ｔを設定してある。
このように波長板５と複屈折板２が協働して、所定の光路間隔ｄで平行に伝搬し、且つ同じ偏光方向を有する二つのレーザ光を、同一の光路上に伝搬するよう光路補正をすることが可能となる。
【特許文献１】特開２００１−２８３４５７号公報
【特許文献２】特願２００３−１５５６１７号
【発明の開示】
【発明が解決しようとする課題】
【０００８】
しかしながら従来の光路補正装置は、光ピックアップに用いる際に次のような問題を抱えていた。
図９は、２波長レーザを用いた従来の光路補正装置を光ピックアップに適応した場合の模式図の例を示すものである。光ピックアップ７は、偏光方向が互いに平行である二つの異なる波長の直線偏光を出射する２波長レーザ６と、一方の直線偏光の偏光方向を９０°回転させる波長板５と、二つの直線偏光を同一の光路上に伝搬するよう光路補正をする複屈折板２と、該複屈折板２を透過する直線偏光のレーザ光を所定の比率で分離するハーフミラー８と、該ハーフミラー８が分離面で９０°反射する前記レーザ光を光ディスク９のピット１０に集光させる対物レンズ１１と、光ディスク９に形成されたピット１０上で反射された前記レーザ光を前記対物レンズ１１と前記ハーフミラー８を経由して検出する光検出器１２と、前記ハーフミラー８の分離面を透過する２波長レーザ６の出射レベルをモニターするモニター光検出器１３とにより構成する。
【０００９】
図９の動作を説明すると、２波長レーザ６から出射される、例えば波長６５０ｎｍのレーザ光Ｌ１、或いは波長７８０ｎｍのレーザ光Ｌ２は互いに平行な偏光方向を有する直線偏光であり、光路間隔ｄにて平行に伝搬し、波長板５へ入射する。波長板５は、２波長レーザ６から出射された一方のレーザ光Ｌ２の直線偏光を９０°回転させ、他方のレーザ光Ｌ１の直線偏光は回転しないままに透過することにより、レーザ光Ｌ１とＬ２は互いに直交した直線偏光を有するよう構成されている。次に波長板５を透過するレーザ光を複屈折板２に入射する。複屈折板２は、複屈折性を有しその主断面（光学軸と入射光軸とを含む面に平行な面）が一方の前記波長板５を通過したレーザ光Ｌ２の直線偏光と直交するよう構成されている。そこで、レーザ光Ｌ２は光学軸に対して直交するので常光線となりそのまま直進して複屈折板２を透過し、前記波長板５を通過したレーザ光Ｌ１の直線偏光はレーザ光Ｌ２の直線偏光と直交しているので複屈折板２の主断面に対して平行となるため異常光線となり屈折して透過する。従って、複屈折板２を透過したレーザ光Ｌ１とレーザ光Ｌ２は同じ光路を伝搬する。この時、複屈折板２を透過した二つのレーザ光の直線偏光は互いに直交しており、レーザ光Ｌ１の直線偏光をＬａ、レーザ光Ｌ２の直線偏光をＬｂとし、両者を総称してレーザ光Ｌ１１とする。
【００１０】
次に、複屈折板２を透過したレーザ光Ｌ１１はハーフミラー８に入射され、レーザ光Ｌ１１のうちの約９０％は分離面で９０°反射するレーザ光Ｌ１２として、前記レーザ光Ｌ１１の約１０％は分離面を透過するレーザ光Ｌ１３として夫々分離される。レーザ光Ｌ１２は、対物レンズ１１により集光されて光ディスク９に形成されたピット１０に照射され、ピット１０上で反射したレーザ光Ｌ１４は、反射光となって前記対物レンズ１１を介してハーフミラー８に入射され、該レーザ光Ｌ１４はそのまま透過して光検出器１２に入射して光ディスクに書き込まれた情報を読み出す。
【００１１】
一方、ハーフミラー８を透過した前記レーザ光Ｌ１３は、モニター光検出器１３に入射して２波長レーザ６が出射するレーザ光の出射レベルをモニターする。光ピックアップにおいては、レーザ素子が出射するレーザ光の出射レベルを一定に保つことが必要であり、そこで、レーザ光の一部をモニター用の光検出器で受光してＡＰＣ（Ａｕｔｏ  Ｐｏｗｅｒ  Ｃｏｎｔｏｒｏｌ）回路でレーザ素子の駆動回路を制御することにより、レーザ光の出射レベルを一定に保っている。図１３に示した光ピックアップにおいては、レーザ光の出射レベルをモニターする手段として精度の高いフロントモニター方式を採用している。
【００１２】
ところで、前述したようなフロントモニター方式でレーザ光を受光する際は、レーザ光が前述したように直線偏光Ｌａ、Ｌｂのレーザ光からなっているため、ハーフミラー８で、例えば１０％のレーザ光を分離面で透過させてモニター光検出器１３へ入射させる場合、図１０に示すように偏光方向の異なるＬａ、Ｌｂのレーザ光に対して波長依存性を有しているので、波長λ１とλ２での透過率に差が生じ、レーザ光量を制御する際に要求されるモニター精度を満たすことが出来なかった。
【００１３】
図１０は直線偏光Ｌａ、Ｌｂのレーザ光において、波長を可変した際の透過率の変化を示す図である。同図に示すように、ハーフミラー８の入射面に形成する光学薄膜において、ＬａとＬｂのレーザ光に対して波長λ１及びλ２における透過率を共に１０％となるように透過特性を実現することは非常に困難である。
本発明は上述したような問題を解決するためになされたものであって、レーザ光の波長に関係なくモニター光検出器に一定の透過光が得られる光路補正装置とこれを用いた光ピックアップを提供することを目的とする。
【課題を解決するための手段】
【００１４】
上記目的を達成するために本発明に係わる光路補正装置とこれを用いた光ピックアップは、以下の構成をとる。
請求項１に記載の光路補正装置は、第一の複屈折板と、第一の波長板と、第二の複屈折板と、第二の波長板とを順に配置した構造を有し、偏光方向が互いに平行であり光路が互いに平行である二つの異なる波長の直線偏光レーザ光を第一の複屈折板より入射すると、同じ光路上を進む二つの円偏光レーザ光として第二の波長板より出射し、一方、同じ光路上を進む二つの異なる波長の円偏光レーザ光を第二の波長板より入射すると、二つの異なる光路を進む直線変更レーザ光として第一の複屈折板より出射する光路補正装置であって、  前記第一の複屈折板は、異常光線が入射した時の屈折による光路変更距離をｄ１、複屈折板の常光線に対する屈折率をｎ0、複屈折板の異常光線に対する屈折率をｎｅ、複屈折板の主面法線と光学軸とのなす角度をθ、複屈折板の板厚をｔ１とした時、
ｔ１＝ｄ１・｜（ｎ0２・ｔａｎθ＋ｎｅ２）／（（ｎ0２−ｎｅ２）・ｔａｎθ）｜
を満足するものであり、
前記第一の波長板は、直線偏光レーザ光の一方に対しては２π・ｍの位相差を、他方の直線偏光レーザ光に対してはπ・（２ｎ−１）の位相差を発生するものであり（ｍ、ｎは整数）、前記第二の複屈折板は、その光学軸に対して入射した二つの直線偏光レーザ光の何れか一方が常光線、他方が異常光線となるよう配置し、前記二つの直線偏光レーザ光の光路間隔をｄ２、複屈折板の常光線に対する屈折率をｎ0、複屈折板の異常光線に対する屈折率をｎｅ、複屈折板の主面法線と光学軸とのなす角度をθ、複屈折板の板厚をｔ２とした時、
ｔ２＝ｄ２・｜（ｎ0２・ｔａｎθ＋ｎｅ２）／（（ｎ0２−ｎｅ２）・ｔａｎθ）｜
を満足するものであり、
前記第二の波長板は、入射する何れの直線偏光レーザ光、或いは円偏光レーザ光に対してもπ／２・（２ｐ−１）の位相差を発生する（ｐは整数）ものであるよう構成する。
【００１５】
請求項２に記載の光路補正装置は、第一の複屈折板と、第一の波長板と、第二の複屈折板と、第二の波長板と、グレーティングとを順に配置した構造を有し、偏光方向が互いに平行であり光路が互いに平行である二つの異なる波長の直線偏光レーザ光を第一の複屈折板より入射すると、同じ光路を進む二つの円偏光レーザ光とすると共に、３ビーム化してグレーティングより出射し、一方、同じ光路を進む二つの異なる波長の円偏光レーザ光をグレーティングより入射すると、二つの異なる光路を進む直線偏光レーザ光として第一の複屈折板より出射する光路補正装置であって、
前記第一の複屈折板は、異常光線が入射した時の屈折による光路変更距離をｄ１、複屈折板の常光線に対する屈折率をｎ0、複屈折板の異常光線に対する屈折率をｎｅ、複屈折板の主面法線と光学軸とのなす角度をθ、複屈折板の板厚をｔ１とした時、
ｔ１＝ｄ１・｜（ｎ0２・ｔａｎθ＋ｎｅ２）／（（ｎ0２−ｎｅ２）・ｔａｎθ）｜
を満足するものであり、
前記第一の波長板は、直線偏光レーザ光の一方に対しては２π・ｍの位相差を、他方の直線偏光レーザ光に対してはπ・（２ｎ−１）の位相差を発生するものであり（ｍ、ｎは整数）、前記第二の複屈折板は、その光学軸に対して入射した二つの直線偏光レーザ光の何れか一方が常光線、他方が異常光線となるよう配置すると共に、前記第一の複屈折板と互いの主断面が直交するよう配置し、前記二つの直線偏光レーザ光の光路間隔をｄ２、複屈折板の常光線に対する屈折率をｎ0、複屈折板の異常光線に対する屈折率をｎｅ、複屈折板の主面法線と光学軸とのなす角度をθ、複屈折板の板厚をｔ２とした時、
ｔ２＝ｄ２・｜（ｎ0２・ｔａｎθ＋ｎｅ２）／（（ｎ0２−ｎｅ２）・ｔａｎθ）｜
を満足するものであり、
前記第二の波長板は、入射する何れの直線偏光レーザ光、或いは円偏光レーザ光に対してもπ／２・（２ｐ−１）の位相差を発生する（ｐは整数）ものであり、前記グレーティングは、入射した異なる波長の円偏光レーザ光の一方、若しくは両方ともに、0次光と±1次光の３ビームに回折するよう構成する。
【００１６】
請求項３に記載の光路補正装置は、前記第一の複屈折板と前記第一の波長板と前記第二の複屈折板と前記第二の波長板とを貼り合わせて一体化した構造を有するよう構成する。
【００１７】
請求項４に記載の光路補正装置は、前記第一の複屈折板と前記第一の波長板と前記第二の複屈折板と前記第二の波長板と前記グレーティングとを貼り合わせて一体化した構造を有するよう構成する。
【００１８】
請求項５に記載の光路補正装置は、前記第一の波長板及び第二の波長板が、複屈折性を有する結晶であるよう構成する。
【００１９】
請求項６に記載の光路補正装置は、前記第一の複屈折板及び第二の複屈折板が、リチウムナイオベート若しくはルチルであるよう構成する。
【００２０】
請求項７に記載の光ピックアップは、偏光方向が互いに平行である二つの異なる波長の直線偏光レーザ光を出射する２波長レーザ部と１対のモニター光検出部とを備えた複合光学素子と、前記２波長レーザ部から二つの直線偏光レーザ光を入射すると共に、モニター光検出部にモニター光を出射する請求項１乃至６の何れかに記載の光路補正装置と、該光路補正装置を出射した光線を光記憶媒体に集光する対物レンズとを備えるよう構成する。
【００２１】
請求項８に記載の光ピックアップは、偏光方向が互いに平行である二つの異なる波長の直線偏光レーザ光を出射する２波長レーザ部と１対のモニター光検出部とを備えた複合光学素子と、前記２波長レーザ部から二つの直線偏光レーザ光を入射すると共に、モニター光検出部にモニター光を出射する請求項１乃至６の何れかに記載の光路補正装置と、該光路補正装置を出射した光線を光記憶媒体に集光する対物レンズとを備え、前記複合光学素子と前記光路補正装置とを一体化した構造とするよう構成する。
【発明の効果】
【００２２】
請求項１、５、６に記載の発明は、光路補正装置の出射光を円偏光としたので、光路補正装置を光ピックアップに用いた際に、ハーフミラーのミラー面の光学薄膜の直線偏光に対する波長依存性を回避することが出来て光ピックアップの性能を向上させ、光ピックアップを構成する上で上で大きな効果を発揮する。
【００２３】
請求項２に記載の発明は、請求項１記載の光路補正装置の効果の他、出射光を回折光としたので、光ピックアップの性能の向上に大きな効果を発揮する。
【００２４】
請求項３、４に記載の発明は、光路補正装置を構成する要素を張り合わせて積層一体化したことにより、光路補正装置を小型化すると共にコストを低減する事が出来、光ピックアップを構成する上で大きな効果を発揮する。
【００２５】
請求項７に記載の発明は、光路補正装置の出射光を円偏光とし、更には３ビーム化したため、光路補正装置を光ピックアップに用いた際に、ハーフミラーによる波長依存性を回避することが出来て光ピックアップの性能を向上させる共に、２波長レーザ部と１対のモニター光検出部を一体化して配置したので、部品点数が減少し光ピックアップの構造を小型か出来て光ピックアップを使用する上で上で大きな効果を発揮する。
【００２６】
請求項８に記載の発明は、複合光学素子と光路補正装置を一体化したことのより、光ピックアップを構成する上で小型化が図られ、光ピックアップを使用する上で大きな効果を発揮する。
【発明を実施するための最良の形態】
【００２７】
以下、図示した実施例に基づいて本発明を詳細に説明する。
本発明は、２波長レーザ部から出射した波長の異なる二つの直線偏光のレーザ光を、本発明に係わる光路補正装置において複屈折板を用いて同一光路上に伝搬させると共に、１／４波長板を用いて該二つの直線偏光を円偏光に変換して出射したものである。光路補正装置が出射する二つの直線偏光を円偏光とすることにより、該光路補正装置を光ピックアップに使用した際に、ハーフミラーに形成した光学薄膜における直線偏光の波長依存性を回避できるので、レーザ光の波長に関係なくモニター光検出部に一定の透過光が得られることとなる。一方、本発明に係わる光路補正装置においては、該光路補正装置を光ピックアップに使用した際に、光ディスクのピットで反射したレーザ光を入射し、複屈折板を用いることにより光路変更して２波長レーザ部と一体化して構成された１対のモニター光検出部に入射する機能を有する。
【００２８】
図１は、本発明に係る光路補正装置の第一の実施例を示す構成図であり、図１（ａ）は、２波長レーザ部から入射する二つのレーザ光の光路を補正し円偏光されたレーザ光を出射する様子を説明するための図を示し、図１（ｂ）は、光ディスクに形成したピットで反射したレーザ光を入射し、光路変更して２波長レーザ部と一体化して構成された１対のモニター光検出部に入射する様子を説明するための図を示す。本実施例において示した光路補正装置は、各機能素子を積層一体化したものを示し、光路補正装置１４は、第一の複屈折板１５と第一の波長板５と第二の複屈折板２と第二の波長板１６とを備えており、複合光学素子１７の前方に配置する。複合光学素子１７は、異なる二つの波長のレーザ光を出射する２波長レーザ部１８と２波長レーザのモニター光を検出する１対のモニター光検出部１９とにより構成する。
【００２９】
図１（ａ）の動作を説明する。２波長レーザ部１８から出射されるレーザ光を、例えば、光路１を伝搬する波長６５０ｎｍのレーザ光Ｌ１、及び光路２を伝搬する波長７８０ｎｍのレーザ光Ｌ２とすると、二つのレーザ光は互いに同じ偏光方向を有する直線偏光Ｐ１及びＰ２であり光路間隔ｄ１にて平行に伝搬し、第一の複屈折板に入射する。
第一の複屈折板１５は、複屈折性を有するリチウムナイオベート若しくはルチル等の結晶もしくは液晶からなり、その主断面は二つのレーザ光Ｌ１、Ｌ２の直線偏光Ｐ１、Ｐ２に対して直交となるよう構成する。従って、２波長レーザ部１８が出射した二つのレーザ光Ｌ１、Ｌ２は光学軸Ａ０に対して常光線となりそのまま直進して第一の複屈折板１５を透過する。
【００３０】
次に、第一の複屈折板１５を透過したレーザ光は、第一の波長板５に入射する。第一の波長板５は、複屈折性を有する結晶もしくは高分子フィルムであり、第一の複屈折板１５を透過した一方の直線偏光Ｐ１の偏光方向を９０°回転させて直線偏光Ｓ１とし、他方の直線偏光Ｐ２の偏光方向は回転しないままに透過させることにより、レーザ光Ｌ１とＬ２が互いに直交した直線偏光を有するよう構成する。
そこで第一の波長板５は、レーザ光Ｌ１に対して１／２波長板として機能するよう構成され、即ち、レーザ光Ｌ２に対しては２π・ｎの位相差を発生するように、レーザ光Ｌ１に対してはπ・（２ｍ−１）の位相差を発生するような板厚に設定する。
【００３１】
又、前記第一の波長板５の構造としては、図２（ａ）に示す如く２枚の水晶製波長板を貼り合わせたもの、或いは図２（ｂ）に示す如く１枚の平行平板状の水晶板のみで構成したもの等が使用される。更に、図２（ｃ）に示す如くやや構造は複雑になるものの１枚の水晶板の一部を削って異なる厚みを有する構造としたものでも良いし、図２（ｄ）に示す如く一方の波長の直線偏光に対してπの位相差を呈する位相差板をガラス基板の一部に貼り付けたもので実現しても良い。
【００３２】
次に、第一の波長板５を透過したレーザ光は、第二の複屈折板２に入射する。第二の複屈折板２は、第一の複屈折板１５と同様に、複屈折性を有するリチウムナイオベート若しくはルチル等の結晶もしくは液晶からなり、その主断面は一方のレーザ光Ｌ２の直線偏光Ｐ２に対して平行であり、他方のレーザ光Ｌ１の直線偏光Ｓ１に対して直交するよう構成されている。
前記第一の波長板５より入射したレーザ光Ｌ１は光学軸Ａ０に対して常光線となりそのまま直進し第二の複屈折板２を透過して光路１を伝搬し、レーザ光Ｌ１と偏光方向が直交するレーザ光Ｌ２の直線偏光は光学軸Ａ０に対して異常光線となり屈折して透過することになる。この屈折したレーザ光Ｌ２が第二の複屈折板２を透過する際に、レーザ光Ｌ２が、レーザ光Ｌ１の伝搬光路である光路１を伝搬するよう第二の複屈折板２の板厚ｔ２を設定し、レーザ光Ｌ１とレーザ光Ｌ２が同一光路を伝搬するよう光路補正を行う。
そこで、前記板厚ｔ２と二つの直線偏光の光路間隔ｄ２との間には次式（１）の関係が成立する。
ｔ２＝ｄ２・｜（ｎ0２・ｔａｎθ＋ｎｅ２）／（（ｎ0２−ｎｅ２）・ｔａｎθ）｜・・・（１）
尚、ｎ0：常光線に対する屈折率であり、ｎｅ：異常光線に対する屈折率であり、θ：複屈折板の主面法線と光学軸とのなす角度であり、通常４５°に設定されるのが望ましい。
【００３３】
次に、第二の複屈折板２を透過したレーザ光は、第二の波長板１６に入射する。第二の波長板１６は、複屈折性を有する結晶もしくは高分子フィルムであり、第二の複屈折板２を透過した二つの直線偏光のＳ１及びＰ２入射すると、直線偏光の常光成分と異常光成分との位相差が９０°となるよう作用するので、第二の波長板１６の透過光は、互いに位相が９０°ずれた常光成分と異常光成分とが合成されて、レーザ光Ｌ１、Ｌ２は互いに回転方向が異なる円偏光となり、光路補正装置１４から出射される。
そこで、第二の波長板１６は、１／４波長板として機能するよう構成され、波長板をレーザ光Ｌ１に対してはπ／２・（２ｐ−１）の位相差を発生するように、又、レーザ光Ｌ２に対してもπ／２・（２ｐ−１）の位相差を発生するような板厚に設定する。本実施例において必要な１／４波長板は、二つの波長のレーザ光に対応する広帯域の波長板であり、例えば、特開平１０−６８８１６号公報で提案されているような１／４波長板と１／２波長板とを張り合わせた構造が多く使用され、この二枚の波長板を所定の光学軸角度で張り合わせることにより所望の性能を得る。一方、ＷＯ０３／０９１７６８号公報で提案されているような所望の複数の波長に対して１／４波長板として機能する波長板であってもよい。
【００３４】
以上説明したように本実施例における光路補正装置は、二つの波長のレーザ光を同一光路上に伝搬させると共に、出射する二つのレーザ光を円偏光としたものであり、光ピックアップに本光路補正装置を使用した際に、ハーフミラーに形成した光学薄膜における直線偏光の波長依存性を回避できる。
【００３５】
次に、図１（ｂ）の動作について説明する。図１（ｂ）は、光ディスクに形成されたピットにおいて反射されたモニター用のレーザ光を入射して光路補正を行い、１対のモニター光検出部に入射する場合の動作を示すもので、光ディスクに形成されたピットにおいて反射され、光路１を伝搬する円偏光のレーザ光Ｌ１’及びＬ２’は、光路補正装置１４を出射した円偏光のレーザ光Ｌ１及びＬ２に対して回転方向が逆転して光路補正装置１４を構成する第二の波長板１６に入射される。
【００３６】
第二の波長板１６は、前述したように１／４波長板として機能するよう構成され、円偏光のレーザ光Ｌ１’は直線偏光Ｐ１に、円偏光のレーザ光Ｌ２’は直線偏光Ｓ２に変換され、互いに直交した直線偏光となる。
次に、第二の波長板１６を透過して直線偏光されたレーザ光Ｌ１’及びＬ２’は、第二の複屈折板２に入射する。
第二の複屈折板２において、その主断面は一方のレーザ光Ｌ１’の直線偏光Ｐ１に対して平行であり、他方のレーザ光Ｌ２’の直線偏光Ｓ２に対して直交するよう構成されている。
前記第二の波長板１６より第二の複屈折板２に入射したレーザ光Ｌ２’は光学軸Ａ０に対して常光線となりそのまま直進して第二の複屈折板２を透過して光路１を伝搬し、レーザ光Ｌ２’と偏光方向が直交するレーザ光Ｌ１’の直線偏光は光学軸Ａ０に対して異常光線となり屈折して透過し、光路２を伝播する。
【００３７】
次に、第二の複屈折板２を透過したレーザ光Ｌ１’、Ｌ２’は、第一の波長板５に入射する。第一の波長板５は、前述したように１／２波長板として機能するよう構成され、第二の複屈折板２を屈折して透過した一方のレーザ光Ｌ１’である直線偏光Ｐ１の偏光方向を９０°回転させて直線偏光Ｓ１として透過し、他方のレーザ光Ｌ２’である直線偏光Ｓ２の偏光方向は回転しないままに透過させ、レーザ光Ｌ１’及びＬ２’を同一な偏光方向を有する直線偏光とする。
【００３８】
次に、第一の波長板５を透過したレーザ光Ｌ１’、Ｌ２’は、第一の複屈折板１５に入射する。第一の複屈折板１５においては、その主断面はレーザ光Ｌ１’の直線偏光Ｓ１及びレーザ光Ｌ２’の直線偏光Ｓ２に対して平行となるよう構成されている。又、第一の複屈折板１５の主断面は、前記第二の複屈折板２の主断面と直交するよう配置されている。
そこで、前記第一の波長板５より入射したレーザ光Ｌ１’及びＬ２’の直線偏光は光学軸Ａ０に対して異常光線となり屈折して透過することになる。この屈折したレーザ光Ｌ１’及びＬ２’が第一の複屈折板１５を透過する際に、レーザ光Ｌ１’が光路４を伝搬するように、レーザ光Ｌ２’が光路３を伝搬するよう第一の複屈折板１５の板厚ｔ１を設定し、２波長レーザ部１８のモニター光となるレーザ光Ｌ１’とレーザ光Ｌ２’が１対のモニター光検出部１９の所定の位置に夫々入射するよう光路補正を行う。
前記板厚ｔ１と二つの直線偏光の光路補正距離ｄ１との間には次式（２）の関係が成立する。
ｔ１＝ｄ１・｜（ｎ0２・ｔａｎθ＋ｎｅ２）／（（ｎ0２−ｎｅ２）・ｔａｎθ）｜・・・（２）
尚、ｎ0：常光線に対する屈折率であり、ｎｅ：異常光線に対する屈折率であり、θ：複屈折板の主面法線と光学軸とのなす角度であり、通常４５°に設定されるのが望ましい。
【００３９】
以上説明したように本発明に於ける光路補正装置１４は、二つの波長のレーザ光を同一光路上に伝搬させると共に、出射する二つのレーザ光を円偏光としたものであり、光ピックアップに本光路補正装置を使用した際に、ハーフミラーに形成した光学薄膜における直線偏光の波長依存性を回避できる。又、光ディスクにおいて反射されたレーザ光Ｌ１’とＬ２’の光路を補正して、２波長レーザ部１８と一体化して構成された１対のモニター光検出部１９に、レーザ光Ｌ１’とＬ２’を入射させるようにした。従って、フロントモニター機能とレーザ光の発光機能とを一体化した複合光学素子１７を使用可能とし、光ピックアップを構成する際に構造を小型化することが出来る。更に、複合光学素子１７の入出射面全面に光路補正装置１４を固定してモジュール化することも可能であり、後述する光ピックアップをアセンブルする際のハンドリング向上や小型化に大きな効果を発揮する。
【００４０】
次に、本発明に係わる光路補正装置を光ピックアップに用いた実施例を説明する。
図３は、本発明に係わる光路補正装置１４を光ピックアップに適応した場合の模式図を示すものである。光ピックアップ２０は、偏光方向が互いに平行である二つの異なる波長の直線偏光を出射する２波長レーザ部１８と光ディスク９に形成したピット１０において反射したモニター用のレーザ光を検出する１対のモニター光検出部１９とを備えた複合光学素子１７と、前記２波長レーザ部１８が出射する二つの波長のレーザ光を同一光路上に伝搬させると共に出射する二つのレーザ光を円偏光とし、一方、光ディスク９に形成したピット１０において反射されたレーザ光の光路を補正して１対のモニター光検出部１９に入射させる光路補正装置１４と、該光路補正装置１４が出射するレーザ光を９０°全反射すると共に光ディスク９に形成したピット１０で反射したレーザ光を所定の比率で分離するハーフミラー２１と、該ハーフミラー２１の分離面で９０°全反射するレーザ光を光ディスク９のピット１０に集光させる対物レンズ１１と、光ディスク９に形成されたピット１０上で反射されたレーザ光を前記対物レンズ１１及び前記ハーフミラー２１を経由して検出する光検出器１２とにより構成する。
【００４１】
図３の動作を説明すると、２波長レーザ部１８から出射される、例えば、波長６５０ｎｍのレーザ光Ｌ１、及び波長７８０ｎｍのレーザ光Ｌ２は互いに同じ偏光方向を有する直線偏光であり、光路間隔ｄ１にて平行に伝搬し、光路補正装置１４へ入射する。光路補正装置１４においては前述したように、前記二つの波長のレーザ光Ｌ１及びＬ２を同一光路上に伝搬させると共に、出射する二つのレーザ光を円偏光に変換する。そこで、これらのレーザ光を総称してレーザ光Ｌ１５とする。
【００４２】
次に、光路補正装置１４を透過したレーザ光Ｌ１５はハーフミラー２１に入射され、分離面で９０°全反射したレーザ光Ｌ１６は、対物レンズ１１により集光されて光ディスク９に形成されたピット１０に照射される。そこで、ピット１０上で反射したレーザ光Ｌ１７は、反射光となって前記対物レンズ１１を介してハーフミラー２１に入射され、レーザ光Ｌ１７のうちの約９０％は分離面を透過するレーザ光Ｌ１８として、前記レーザ光Ｌ１７の約１０％は分離面を９０°反射するレーザ光Ｌ１９として夫々分離される。この時、ハーフミラー２１に入射されるレーザ光は２波長共に円偏光であり、ハーフミラー２１に形成した光学薄膜からなる分離面は、円偏光に対して波長依存性を持たないので、二つの波長のレーザ光に対して透過率及び反射率は変化しない。
ハーフミラー２１を透過したレーザ光Ｌ１８は、光検出器１２に入射し、光ディスクに書き込まれた情報を読み出す。
【００４３】
一方、ハーフミラー２１により９０°反射したレーザ光Ｌ１９は、２波長レーザ部１８が出射するレーザ光Ｌ１及びＬ２のモニター光として使用するため、前記光路補正装置１４が円偏光のレーザ光を出射する面に入射する。光路補正装置１４は、前述したように光ディスク９に形成したピット１０において反射されたレーザ光Ｌ１９を構成するレーザ光Ｌ１’とＬ２’の光路を補正して、２波長レーザ部１８と一体化して構成された１対のモニター光検出部１９に、レーザ光Ｌ１’とＬ２’を入射し、モニター光を検出する。
【００４４】
以上説明したように、本光ピックアップ２０においては、光路補正装置１４が出射する二つの直線偏光を円偏光とすることにより、該光路補正装置１４を光ピックアップに使用した際に、ハーフミラー２１に形成した光学薄膜における直線偏光の波長依存性を回避できるので、レーザ光の波長に関係なくモニター光検出部１９に一定の透過光が得られると共に、２波長レーザ部１８と１対のモニター光検出部１９とを一体化して複合光学素子１７としたので部品点数が減少し、光ピックアップの構造を小型化することが出来る。
【００４５】
次に、本発明に係わる光路補正装置において、第二の実施例について説明する。
一般に、光ディスクを再生するためレーザ光を光ディスクに照射する際に、光ディスクに形成したピットに照射するデータ読み書き用の光と、ピットの両脇の溝に照射するトラッキング用の光とが必要である場合、レーザ光を３ビーム化することが要求され、第二の実施例は、光路補正装置の出射光を３ビーム化したものである。そこで、第一の実施例において説明した光路補正装置の円偏光されたレーザ光の出射側に、レーザ光を回折させるグレーティングを付加し、円偏光されたレーザ光を３ビーム化して出射させた。
【００４６】
図４は、本発明に係る光路補正装置の第二の実施例を示す構成図であり、図４（ａ）は、２波長レーザ部から入射する二つのレーザ光の光路を補正し円偏光すると共に３ビーム化したレーザ光を出射する様子を説明するための図を示し、図４（ｂ）は、光ディスクに形成したピットで反射したレーザ光を入射し、光路変更して２波長レーザ部と一体化して構成されたモニター光検出部に入射する様子を説明するための図を示す。本実施例において示した光路補正装置は、各機能素子を積層一体化したものを示し、光路補正装置２２は、第一の複屈折板１５と第一の波長板５と第二の複屈折板２と第二の波長板１６とグレーティング２３とを備えており、複合光学素子１７の前方に配置する。複合光学素子１７は、第一の実施例において説明したものと同一のもので、２波長レーザ部１８と１対の光検出部１９とにより構成する。又、第二の実施例において、複合光学素子１７の入出射面全面に光路補正装置２２を固定してモジュール化することも可能であり、後述する光ピックアップをアセンブルする際のハンドリング向上や小型化に大きな効果を発揮する。
本第二の実施例は、図１に示した第一の実施例における光路補正装置と比べて、円偏光を出射する第二の波長板１６の出射側にグレーティング２３を付加したことのみ異なるので、グレーティング２３の作用について説明し、他の要素の動作は第一の実施例と同一であるので説明を省略する。
【００４７】
図５は、グレーティングを付加してレーザ光を３ビーム化した例を示し、図５（ａ）は夫々異なる二つの波長λ１及びλ２のレーザ光共に３ビーム化した例を示し、図５（ｂ）は一方の波長のレーザ光λ１はそのまま透過し、他方の波長のレーザ光λ２のみを３ビーム化した例を示す。尚、図５においては、波長λ１と波長λ２のレーザ光の光路を分離して記載しているが、これは説明を容易にするためで、実際は各波長のレーザ光は同一の光路を伝搬する。そこで、グレーティング２３は、基板の片面に所定の屈折率を有する格子を所定の深さとピッチで一面に形成したもので、前記深さとピッチを適宜に設定することにより、所望の波長のレーザ光に対して、入射したレーザ光をメインビームとなる０次光と、サイドビームとなる二つの±１次光とに回折するものである。
そこで、図４に示した本実施例における光路補正装置２２は、第二の波長板１６が出射する円偏光のレーザ光を入射して３ビームのレーザ光に回折する。
【００４８】
図６は、本発明に係わる光路補正装置２２を光ピックアップに適応した場合の模式図を示すものである。光ピックアップ２４は、偏光方向が互いに平行である二つの異なる波長の直線偏光を出射する２波長レーザ部１８と光ディスク９に形成したピット１０において反射したレーザ光を検出する１対のモニター光検出部１９とを備えた複合光学素子１７と、前記２波長レーザ部１８が出射する二つの波長のレーザ光を同一光路上に伝搬させると共に出射する二つのレーザ光を円偏光、且つ、３ビーム化し、一方、光ディスク９に形成したピット１０において反射されたレーザ光の光路を補正して１対のモニター光検出部１９に入射させる光路補正装置２２と、該光路補正装置１４が出射するレーザ光を９０°全反射すると共に光ディスク９に形成したピット１０で反射したレーザ光を所定の比率で分離するハーフミラー２１と、該ハーフミラー２１の分離面で９０°全反射するレーザ光を光ディスク９のピット１０に集光させる対物レンズ１１と、光ディスク９に形成されたピット１０上で反射されたレーザ光を前記対物レンズ１１及び前記ハーフミラー２１を経由して検出する光検出器１２とにより構成する。
【００４９】
本第二の実施例は、図３に示した第一の実施例である光ピックアップ２０と比べて光路補正装置１４の出射側にグレーティング２３が付加されていることのみ異なるので、これに関連した部分についてのみ説明し、他の部分の動作については第一の実施例と同一であるので説明を省略する。
光路補正装置２２を透過し、回折作用により３ビーム化されたレーザ光Ｌ２０はハーフミラー２１に入射され、分離面で９０°全反射したレーザ光Ｌ２１は、対物レンズ１１により集光されて光ディスク９に形成されたピット１０に照射される。そこで、ピット１０上で反射したレーザ光Ｌ２２は、反射光となって前記対物レンズ１１を介してハーフミラー２１に入射され、レーザ光Ｌ２２のうちの約９０％は分離面を透過するレーザ光Ｌ２３として、前記レーザ光Ｌ２２の約１０％は分離面を９０°反射するレーザ光Ｌ２４として夫々分離される。この時、ハーフミラー２１に入射されるレーザ光は二つ共に円偏光され、且つ一方、或いは両方ともに３ビーム化されており、ハーフミラー２１に形成した二つの光学薄膜は、円偏光に対して波長依存性を持たないため、二つの波長のレーザ光に対して透過率は変化しない。
ハーフミラー２１を透過したレーザ光Ｌ２３は、光検出器１２に入射し、光ディスクに書き込まれた情報を読み出す。
【００５０】
一方、ハーフミラー２１により９０°反射したレーザ光２４は、２波長レーザ部１８が出射するレーザ光Ｌ１及びＬ２のモニター光として使用するため、前記光路補正装置２２のグレーティング２３の面に入射する。光路補正装置２２は、光ディスク９において反射されたレーザ光Ｌ２４を構成するレーザ光Ｌ１’とＬ２’の光路を補正して、２波長レーザ部１８と一体化して構成された１対のモニター光検出部１９に、レーザ光Ｌ１’とＬ２’を入射し、モニター光を検出する。
【００５１】
本実施例における光ピックアップ２４は、ハーフミラー２１に入射するレーザ光が円偏光であるためミラー面に形成した光学薄膜における波長依存性を回避できる。２波長レーザ部１８の出射レベルをモニターする際に、精度の高いモニター光検出を行うことが出来ると共に、光ディスク９に形成したピット１０に照射するレーザ光を３ビーム化することが出来る。又、２波長レーザ部１８と１対のモニター光検出部１９とを一体化して複合光学素子１７としたので部品点数が減少し、光ピックアップの構造を小型化することが出来る。
【００５２】
以上、本発明について実施例を基に説明したが、本発明において使用している波長板、複屈折板の材料としては、例えば水晶、リチウムナイオベート（ニオブ酸リチウム）、サファイア、方解石、雲母、ルチル等の複屈折性を有する結晶、若しくは複屈折性を有する高分子フィルムや高分子ポリマー等が使用可能である。
【図面の簡単な説明】
【００５３】
【図１】本発明に係る光路補正装置の第一の実施例を示す構成図である。
【図２】第一の波長板の変形例を示す外観図である。
【図３】本発明に係わる光路補正装置１４を光ピックアップに適応した場合の模式図を示すものである。
【図４】本発明に係る光路補正装置の第二の実施例を示す構成図である。
【図５】グレーティングを付加してレーザ光を３ビーム化した例を示す。
【図６】本発明に係わる光路補正装置２２を光ピックアップに適応した場合の模式図を示すものである。
【図７】特開２００１−２８３４５７号公報に開示された従来の光路補正装置の原理を説明するための図である。
【図８】特願２００３−１５５６１７号により提起した光路補正装置の原理を説明するための図である。
【図９】２波長レーザを用いた従来の光路補正装置を光ピックアップに適応した場合の模式図の例を示すものである。
【図１０】直線偏光Ｌａ、Ｌｂのレーザ光において、波長を可変した際の透過率の変化を示す図である。
【符号の説明】
【００５４】
１・・光路補正装置、                  ２・・複屈折板（第二の複屈折板）、
３・・２波長レーザ、                  ４・・光路補正装置、
５・・波長板（第一の波長板）、         ６・・２波長レーザ、
７・・光ピックアップ、                ８・・ハーフミラー、
９・・光ディスク、                  １０・・ピット、
１１・・対物レンズ、                  １２・・光検出器、
１３・・モニター光検出器、            １４・・光路補正装置、
１５・・第一の複屈折板、              １６・・第二の波長板、
１７・・複合光学素子、                １８・・２波長レーザ部、
１９・・１対のモニター光検出器、      ２０・・光ピックアップ、
２１・・ハーフミラー、                ２２・・光路補正装置、
２３・・グレーティング、              ２４・・光ピックアップ
【図１】
2006012202.tif 000003
【図２】
2006012202.tif 000004
【図３】
2006012202.tif 000005
【図４】
2006012202.tif 000006
【図５】
2006012202.tif 000007
【図６】
2006012202.tif 000008
【図７】
2006012202.tif 000009
【図８】
2006012202.tif 000010
【図９】
2006012202.tif 000011
【図１０】
2006012202.tif 000012